(57)【要約】      （修正有）【課題】バイブレーター、発熱体、電床板などを備え、寝ながらにしてマッサージ、温熱治療、電位治療が受けられ、電気接続が簡単で、事故を生じる要因がなく、円滑な振動伝達が行われるリラクゼーション誘眠寝具を提供する。【解決手段】分離分割可能な頭部マット８、該頭部マットの略半分の厚みの腰部マット９および足部マット１０からなるマット本体７と、上記腰部マットおよび足部マットの上に載置され上記頭部マットと平滑になる治療導子本体１２と、これら平滑になる頭部マットと治療導子本体の上に載置される平板固綿１３とからなり、上記治療導子本体はゴム弾性をもつ熱可塑性エラストマーからなる連続線条のランダムループを３次元スプリング構造化した振動伝達体１６と、この振動伝達体に配置されたバイブレーター１７と、上記振動伝達体の上に載置され上面に面状発熱体１９等治療導子を設置した固綿とからなる。【選択図】図３
2005192692.tif 000002
【特許請求の範囲】
【請求項１】
分離分割可能な頭部マット、該頭部マットの略半分の厚みの腰部マットおよび足部マットからなるマット本体と、上記腰部マットおよび足部マットの上に載置され上記頭部マットと平滑になる治療導子本体と、これら平滑になる頭部マットと治療導子本体の上に載置される平板固綿とからなり、上記治療導子本体はゴム弾性をもつ熱可塑性エラストマーからなる連続線条のランダムループを３次元スプリング構造化した振動伝達体と、この振動伝達体に配置されたバイブレーターと、上記振動伝達体の上に載置され上面に面状発熱体等治療導子を設置した固綿とからなることを特徴としたリラクゼーション誘眠寝具。
【発明の詳細な説明】
【技術分野】
【０００１】
本発明はバイブレーター、発熱体、電床板などを備え、寝ながらにしてマッサージ、温熱治療、電位治療が受けられる寝具に関わり、バイブレーター、発熱体等治療機器を装置した治療導子本体と、該治療導子本体をセットするマット本体とからなる寝具を、治療導子本体とマット本体は組立、分離可能にして、且つマット本体も頭部、腰部、足部と分割可能にすることにより、分割された個々は軽量で小形になることから、生産容易で搬入、収納も楽におこなえるリラクゼーション誘眠寝具に関する。
【背景技術】
【０００２】
従来この種寝具は各種機能を発揮するためバイブレーターや発熱体等を装置するため重量が増すばかりでなく、バイブレーターの振動が裏面側に共振しないように防振構造を必要としたり、発熱体の熱が裏面側に伝わるのを防ぐため断熱構造を必要としたりして大型になる。したがって、折り畳み不可能なベットマットのごとき構造にしなければ商品化ができなかった。
【発明の開示】
【発明が解決しようとする課題】
【０００３】
このように、大型で複雑な構成であると一人での持ち運びは困難であり、且つ不使用時に押し入れに収納することも出来ない。そこで敷きマットレスのように頭部、腰部、足部の三分割にして折り畳み可能にすることにより、不使用時、運搬時には小形で持ち運び易く、押し入れに収納することもできる構造も考えられるが、この種リラクゼーション誘眠寝具はバイブレーターや発熱体等治療機器の電気機器を有することから、単に三分割するだけでは、それらへの電気接続が複雑になり、事故を生じる要因になるばかりでなく、マッサージ使用時における振動伝達が分割面でとぎれてしまい円滑な振動伝達が行われないという性能上の不具合も生じることとなる。
【課題を解決するための手段】
【０００４】
本発明は上記課題に鑑みなされたもので、バイブレーターや発熱体等治療機器を装置した治療導子本体は防振、断熱構造を有しない薄い一体構造にし、マット本体は頭部、腰部、足部に三分割して腰部と足部部分は頭部に比して薄い段差構成にして、この腰部と足部の薄い段差部に治療導子本体を嵌めて頭部部分と上面平滑にすることにより、分割構成にしても治療導子本体は一体構成であることから、電気接続が複雑になることなく、振動伝達も円滑に行え、しかも防振機能、断熱機能はマット本体に維持させることから薄く軽くできる。また、マット本体も必要な性能機能を失うこと無く頭部、腰部、足部と組み立て分離可能な三分割にすることにより、小形にでき不使用時の収納運搬が容易に行えるリラクゼーション誘眠寝具を提供しようとするものである。
【発明の効果】
【０００５】
電子機器を装置した治療導子本体は１個にまとめられていることから、それら機器の外部への電気的接続は複雑になることがなく事故の要因も少なく成る。また、個々夫々は組み立て分離が容易であることから、搬入時の運搬や不使用時における収納の際に於いて、軽量で小形になり取扱易くなるばかりでなく、生産時においても容易となる。さらに、上面全面は一枚の平板固綿で覆われることから、分離したことによる継ぎ目の違和感は生じなく寝具としての使用感を損なうことがないとともに形崩れを起こす虞もなくなるなど効果がある。
【実施例】
【０００６】
本発明の図示の実施例に基づいて説明すると、図１において１は表皮２に被包された誘眠寝具本体であり、表皮２にはファスナー３が設けられて開放出来るようになっている。４は接続器５を介して電気的接続された制御器であり、この制御器４には例えばＣＤプレーヤー６が接続されて外部音源を受けることができる。
【０００７】
内部構造を図２ないし図４に基づいて説明すると、７はマット本体であり、整形固綿で構成され、このマット本体７は頭部８、腰部９、足部１０の略三等分に分割されている。頭部８は腰部９、足部１０の約５５mmの厚みに比して略２倍の約１１０mmの厚みを有し、頭側両側にスピーカー１１、１１が固綿に埋め込み設置されているとともに、側面には制御器４への接続器５が設けられている。これら頭部８、腰部９、足部１０は図示しない布で夫々被包されて、互い違いに連結されて矢印で示されるように重ね折り畳めることができるが、分割されたものでもよい。
【０００８】
連結された腰部９、足部１０の上面には治療導子本体１２が設置される。治療導子本体１２は図示しない布で組み立て被包され、その厚みが約５５mmに構成されることにより、頭部８と腰部９、足部１０との段差に嵌められ組み立てられたときに頭部８の上面と略面一になる。このようにマット本体７に組み込まれた治療導子本体１２の上面には平板固綿１３が全面に亘って被せられている。
【０００９】
この治療導子本体１２は、周縁部に堤部１５を形成した固綿でなる底板１４の堤部１５内側に振動伝達体１６、この振動伝達体１６に押圧接触するように装置されたバイブレーター１７、１７、裏面に固綿板１８を張り合わせた面状の発熱体１９等の治療導子が挿入設置されて構成している。面状の発熱体１９は例えば両側に電極を設けた織布にカーボン塗料を塗布してなるカーボン面状発熱体がもちいられ、温熱治療の発熱体として、また電位治療の電床板としての機能を発揮することができる。しかしながら、本発明の目的を達成するには本構成に制約されること無く発熱体はコードヒーターを蛇行配線した発熱体を用い、導電シートを電床板として設けた構成の治療導子でもよい。
【００１０】
バイブレーター１７は図５で示されるように、例えば線条プラスチックを螺旋状にまいたものに軟質樹脂フイルムで被包してなるスパイラルチューブ２０に振動子２１…を挿入して形成される。振動子２１は図６で示されるように、例えば薄い紙やアルミなど金属のボビンに銅線やアルミ線などを巻き付け接着剤で固め、ボビンにマグネットを内挿し、巻線に音波となる電気信号が流れることにより振動発生する構造であり、振動を効率よく得るために樹脂で形成した筒２２中に両端のスプリング２３、２３で保持して挿入構成されている。
【００１１】
振動伝達体１６はゴム弾性の熱可塑性エラストマーを溶融押し出して連続線条を形成し、次いで溶融状態の線条にループを形成させ、隣どうしの線条と接触絡合させて、図７で示すようなランダムなループからなる３次元の構造をつくり、次いで、後処理により、より強い疑似架橋点を形成させることで素材の伸長回復性を向上させたもので、剛性弾性を有する網状マットの形態となっている。
【００１２】
振動子２１を作動する電気的音波信号や発熱体１９への供給電気はリード線２４…、コネクター２５を介して制御器４に接続される。しかして、ＣＤプレーヤー６等外部音響機器からの電気音波信号は制御器４を介して振動子２１…に送られて振動し、スパイラルチューブ２０および振動伝達体１６を介して効率良く誘眠寝具本体１表面に伝達される。
【００１３】
また、発熱体１９は制御器４のスイッチ操作等により温熱作動、電位作動して温熱治療や電位治療が行われる。スピーカー１１１１もまたＣＤプレーヤー６からの信号を受けて音楽を発する。なお、本実施例では、バイブレーターは音楽信号を受けて振動するボイスコイルを上げて説明したが、本発明の目的を達成するにはこれに制約されることなく、偏心分銅を装置した振動モーターやムービングコイルまたはムービングマグネット等を用いてもよい。
【図面の簡単な説明】
【００１４】
【図１】本発明のリラクゼーション誘眠寝具の一実施例を示す全体斜視図。
【図２】表皮を外した状態を示す斜視図。
【図３】内部構造を説明するための分解斜視図。
【図４】図１の側断面説明図。
【図５】バイブレーターの拡大図。
【図６】バイブレーターを構成する振動子の拡大図
【図７】振動伝達体を説明するための一部拡大図。
【符号の説明】
【００１５】
７…マット本体
８…頭部マット
９…腰部マット
１０…足部マット
１２…治療導子本体
１３…平板固綿
１６…振動伝達体
１７…バイブレーター
１９…面状発熱体
【図１】
2005192692.tif 000003
【図２】
2005192692.tif 000004
【図３】
2005192692.tif 000005
【図４】
2005192692.tif 000006
【図５】
2005192692.tif 000007
【図６】
2005192692.tif 000008
【図７】
2005192692.tif 000009